(57)【要約】【課題】ポケットの開口部を容易に識別することができるカード類整理用台紙を提供する。【解決手段】表シート１と裏シート２とを重ね合わせ所定個所で接合することによって開口部４を有する１又は複数のポケットＰを形成したものであって、表シート１のポケットＰを構成する部分が有色の透明材料からなるとともに、表シート１に覆われず裏シート２が露出する開口部識別領域Ｓを開口部４に臨む位置に形成したことを特徴とする。【選択図】図１
2004299335.tif 000002
【特許請求の範囲】
【請求項１】
表シートと裏シートとを重ね合わせ所定個所で接合することによって開口部を有する１又は複数のポケットを形成したものであって、表シートのポケットを構成する部分が有色の透明材料からなるとともに、表シートに覆われず裏シートが露出する開口部識別領域を開口部に臨む位置に形成したことを特徴とする、カード類整理台紙。
【請求項２】
前記開口部識別領域が前記開口部の略全幅に亘って設けられている、請求項１に記載のカード類整理台紙。
【請求項３】
前記開口部識別領域は、前記ポケットの収容領域内に設けられた所定幅をもつスリットである、請求項１又は２に記載のカード類整理台紙。
【請求項４】
複数のポケットを形成したものにおいて、前記スリットは、当該複数のポケットに亘って連続して設けられたものである、請求項３に記載のカード類整理台紙。
【請求項５】
裏シートは全体が単一色若しくは無色透明のものである、請求項１から４に記載のカード類整理台紙。
【請求項６】
前記表シートと裏シートは、同一の素材からなるものである、請求項１から５に記載のカード類整理台紙。
【請求項７】
前記表シートと裏シートは、単一のシートを折り返すことによって形成されたものである、請求項６に記載のカード類整理台紙。
【請求項８】
前記表シートを前記裏シートの表裏両面に配することによって、表裏両面にポケットを形成した、請求項１から５に記載のカード類整理台紙。
【請求項９】
前記裏シートは、光透過率が９０％から９７％のグレイ色である、請求項１から８に記載のカード類整理台紙。
【請求項１０】
請求項１から９に記載のカード類整理台紙を複数枚綴じ込んでなる、カード類整理帳。
【発明の詳細な説明】
【０００１】
【発明の属する技術分野】
本発明はカード類整理台紙に係るものであり、名刺整理帳の台紙、アルバム台紙などがこの範疇に含まれる。さらに詳しくは、これらカード類整理台紙において、カードをポケットに抜き差しする際の利便性を向上させるものに関する。
【０００２】
【従来の技術】
従来より名刺整理帳やアルバム等の台紙といったカード類整理台紙においては、台紙本体に透明フイルムを重ね合わせ、台紙本体（裏シート）と透明フィルム（表シート）とを所定の個所で溶着や接着剤を用いて接着することによってポケットを形成したものが広く知られている。また、台紙本体に対し透明フイルムを表裏にわたって被覆し、台紙本体の周縁部や台紙本体に穿った孔を通して透明フィルム同士を溶着してポケットを形成したものも知られている。
【０００３】
このようなものにおいては、透明フィルムの端部がポケットを構成する領域の周縁のうち開口部を形成する部分をなしており、一方透明フィルムと台紙本体とが、或いは表裏の透明フィルム同士が接着することによって周縁の残りの部分が形成されている。
【０００４】
尚、上記透明フィルムと台紙本体とが、或いは表裏の透明フィルム同士が接着する部分は必ずしも連続したものではなく、要所要所をスポット的に接着したものも一般的である。どの程度のピッチでスポット的に接着するかは収容物の大きさや形状に依存し、例えばアルバムの場合であれば、収容する印画紙を安定して保持できる程度に上辺下辺に各２箇所、左右のうち一辺に１箇所の接着個所を設けることにより、残り１辺を開口部とするポケットを形成することができる。
【０００５】
【特許文献１】
実公平５−２１４２８号公報
【特許文献２】
実公平３−５７５０８号公報
【特許文献３】
実公平３−４７９０２号公報
【特許文献４】
特許第３０４７９６１号公報
【０００６】
【発明が解決しようとする課題】
このように成したカード類整理用台紙であれば、透明フィルムを通して収容物を台紙に収容したままで閲覧できる。しかし、台紙本体と透明フィルムを重ね合わせた場合、透明フィルムが一体どこからどこまであるのかがわかりにくく、特に収容物を出し入れする際にポケットの開口部がどこであるのかを判別するのが困難であるため、出し入れの操作がわずらわしく、また収容物を開口部に引っ掛けてしまいポケットを破ってしまう可能性もあった。
【０００７】
【課題を解決するための手段】
上記の問題を解決するために本発明は、台紙本体たる裏シートと透明フィルムたる裏シートとを重ね合わせ所定個所で接合することによって開口部を有する１又は複数のポケットを形成したカード類整理台紙において、表シートのポケットを構成する部分を有色の透明材料とするとともに、表シートに覆われず裏シートが露出する開口部識別領域を開口部に臨む位置に形成した。こうすれば、表シートに着色が施されているので、開口部近傍において台紙本体が表シートに覆われている部分と表シートに覆われておらず台紙本体が露出する部分とを視覚上明確に識別することができ、使用者はそれらの境界に開口部が存在することを容易に認識することができるので、収容物を出し入れする際の操作性が向上する。
【０００８】
開口部識別領域が開口部の略全幅に亘って設けられていれば、使用者はポケットの開口部全体を容易に認識することができるので、さらに操作性が増すばかりか収容物を開口部に引っ掛けたりすることも目視によって防ぎ得るものである。
【０００９】
開口部識別領域を前記ポケットの収容領域面内に設けられた所定幅をもつスリットとして設けている場合、開口部を中心線として対称にポケット要素を有する構成になるので、収容物を収容した状態で台紙全体を傾けたりした場合でも相対するポケット要素が収容物の抜け止めとして機能する。
【００１０】
上記の場合において複数のポケットを形成するのであれば、前記スリットは当該複数のポケットに亘って連続して設けるようにすれば、全体の構造を簡素化することにより製造工程を簡略化することができるばかりか、見栄えもすっきりとしたものになる。
【００１１】
また裏シートを全体が単一色若しくは無色透明のものとすれば、表シートで覆った部分と覆っていない部分とのコントラストが明瞭となり、開口部をよりはっきりと識別できるようになる。
【００１２】
一方前記表シートと裏シートを同一の素材からなるものとしてもよい。すなわち、表シートと裏シートともに有色の透明材料とすれば、表シートと裏シートが重なり合った部分と裏シートのみの部分で明度差が生ずるので、やはり開口部を容易に識別可能となる。
【００１３】
その場合特に、表シートと裏シートが単一のシートを折り返すことによって形成されたものにすれば、極めて簡単な構造で本発明に係る台紙を形成することが可能である。
【００１４】
一方、表シートを裏シートの表裏両面に配することによって表裏両面にポケットを形成したものであれば、台紙を見開きで使用することができる。
【００１５】
さらに、表シートである合成樹脂製シートを光透過率が９０％から９７％のグレイ色のものにすれば、収容物の見栄えをさほど損なうことなく開口部を明確に識別可能であるから、最適である。
【００１６】
そして上記のようなカード類整理台紙を複数枚綴じ込んでなるカード類整理帳であれば、収容物を出し入れする際の操作性に優れかつ一覧性も優れた整理帳として好適である。
【００１７】
【発明の実施の形態】
以下に本発明の好適な実施の形態を図面を参照しながら詳述する。
【００１８】
（第一実施例）
図１から図５は、本発明に係る第一の実施例を図示したものである。
【００１９】
本実施例は、正面視が図１に示す形状の縦長長方形をしたカード整理台紙であって、１面につき２列５段のポケットＰを有するものである。尚、この台紙は裏面にも同数のポケットを有しているが、裏面の態様は表面と左右対称であるため図面を省略する。また以下においては特に断りのない限り図１にあらわした面を表側の面とし、この面をもとに説明する。
【００２０】
本実施例は、台紙本体１と、フィルム２とを主たる構成要素とする。
【００２１】
台紙本体１は、不透明の合成樹脂製シートからなるものである。
【００２２】
フィルム２は、有色透明の合成樹脂製シートからなるものであり、特に光透過率が約９５％前後のグレイ色のものを採用している。
【００２３】
フィルム２は台紙本体１に対し、台紙本体１の表面の略全域を覆うように重ね合わされており、後述する所定の個所にミシン目状の溶着部を施すことによって両者は一体不可分のものになっているとともに、それら溶着部によってポケットＰを２列５段に区画している。
【００２４】
溶着部の具体的構成を以下に詳述する。
【００２５】
まず、上下両縁に沿って溶着部３１が、左右両縁に沿って溶着部３２が、それぞれ設けられている。次に、中央部には上下方向に溶着部３３が設けられているとともに、前記左右両縁に沿った溶着部３２、３２の若干内側箇所には、前記ポケットＰの出し入れ口に相対して底部を形成する溶着部３４、３５がそれぞれ設けられている。これらの溶着部３４，３５間には左右方向に伸びる溶着部３６が設けられ、これにより、上下五段となる複数のポケットＰが形成される。
【００２６】
なお前記左右両縁に沿った溶着部３２、３２はポケットＰの構成に関与せず、左右両縁でフィルム２がばたつくのを防止するためのものである。
【００２７】
前記フィルム２において、中央部の溶着部３３を挟んで両側に上下方向に伸びるスリットＳが形成される。スリットＳはフィルム２を上下方向に一定幅で切除することによって形成されるものであり、図２に示すようにこの部分は台紙本体１が露出している。またスリットＳを形成することによりポケットＰは、それぞれスリットに向けて開口部４を有するものとなる。
【００２８】
またこのスリットＳがポケットＰの収容領域Ｒｘ、Ｒｙ内に形成されるものであるため、このスリットＳを中心線として左右対称にポケット要素ＰＥ、ＰＥを有する構成になるので、収容物を収容した状態で台紙全体を傾けたりした場合でも相対するポケット要素が収容物の抜け止めとして機能する。
【００２９】
図１中右端縁に沿う溶着部３２及びこれに隣設する溶着部３５の長さはそれぞれ同程度に短く設定されており、これら溶着部３２，３５の下部終端３２ａ，３５ａと左右方向に伸びる溶着部３６までの間は非溶着部３７として形成されている。この非溶着部３７は、ポケットＰ内に収納される図示しない見出し片の右端一定領域を前記非溶着部３７より突出させるための部分である。
【００３０】
なお図１中左辺に沿ってバインダー等に綴じ込むための一連の綴じ穴Ｈが設けられているが、これは台紙本体１とフィルム２を貫通するものである。また、左上と左下の頂点すなわち一連の綴じ穴Ｈの上下にテーパ状のカットＴが施されているが、これはバインダーに綴じ込んだ際に該頂点が綴じ具の操作片にあたってしまうのを防止するためのものである。
【００３１】
以上のように形成したカード整理台紙においては、図１にあらわれているように、有色透明のフィルムで覆われていない部分である２本のスリットＳが視覚上はっきりとあらわれる。このスリットＳはポケットＰの開口部４の位置を示す目印、すなわち開口部識別領域として機能するものである。すなわちユーザーは、ポケットＰに収容物を出し入れしたい場合にポケットの開口部４がどこにあるかを一目で知ることが可能となる。そして例えばカードＣをポケットに収容したい場合は、図３に示すように、このスリットＳからカードＣを挿入していけばよい。
【００３２】
図４及び図５はカードＣを収容完了した状態をあらわしているが、フィルム２は有色だが透明であるから、カードＣに記載された内容を収容状態のまま判読するこができる。特に本実施例の場合、フィルム２の光透過率が９５％程度であるから内部に収容した収容物の明度をさほど損なうことなく、またグレイ色のフィルムを用いているから収容物の色相を変更してしまうこともないので、あまり見栄えを損なうこがなく、かつ開口部を明確に識別可能である最適な例のひとつであるといえる。
【００３３】
尚、本実施例の場合、図４及び図５に示すように、カードＣを収容完了した状態では、カードＣがスリットＳをまたがって左右のポケット要素ＰＥ、ＰＥに収まっている。従って、互いのポケット要素ＰＥ、ＰＥがそれぞれ抜け止めとして機能するので、台紙全体を傾けたりしても収容物であるカードＣが容易に抜け落ちることがない。
【００３４】
（第２実施例）
図６及び図７は、本発明に係る第二の実施例を図示したものである。
【００３５】
本実施例は、正面視が図６に示す形状の縦長長方形をしたカード整理台紙であって、縦に３段のポケットＰを有するものである。
本実施例においては、図７に示すように、連続した１枚の有色透明の合成樹脂製からなるシートＳＨを折り返して重ねあわせることにより裏シート１０と表シート２０を形成する。従って裏シート１０と表シート２０は同一素材からなるものである。なお本実施例の場合も第一の実施例におけるフィルム２と同じく光透過率が約９５％前後のグレイ色のものを採用している。
【００３６】
シートＳＨを折り返し重ね合わせる際には、全面が重なり合うのではなく、表シート２０が裏シート１０の途中まで重なるようにする。そして重ね合わせた部分の上下両縁に沿って溶着部３１０を、さらに上下両縁の溶着部３１０、３１０の間に形成された領域を３等分する位置に左右方向に伸びる溶着部３６０を設けることによって、シートＳＨが重なり合った領域Ｒ１と重なり合っていない領域Ｒ２との境界に開口部４０を有する３段のポケットＰを形成する。
【００３７】
このようなカード整理台紙であれば、ポケットＰを形成している、すなわちシートＳＨが重なり合った領域Ｒ１と、重なり合っていない領域Ｒ２で明度の差が生じる。シートＳＨ全体が有色透明であって、ポケットＰを形成した領域のみシートＳＨが２枚重なっているからである。従って使用者がポケットＰの開口部４０を探す際には明度差が生じている境界を手がかりにすればよく、視覚的に認識しやすいものとなっている。つまり本実施例の場合、シートＳＨが重なり合っていない領域Ｒ２がすなわち開口部識別領域として機能しているのである。
【００３８】
尚、本発明は以上に挙げた実施の形態に限定されない。
【００３９】
例えば、形成するポケットの数は、必要に応じて変更可能である。また綴じ穴の数は綴じ具の綴じ杆の本数に合わせて任意のものを選択すればよい。
【００４０】
又、第一実施例では１枚の台紙本体の表裏にフィルムを設けることによって両面に収容面を有するカード類整理台紙を実現したが、台紙本体の表にのみフィルムを設けポケットを形成し、それをフィルムが外面に来るように半分に折りたたむことによっても、両面に収容面を有するカード類整理台紙を実現できる。
【００４１】
また有色透明フィルムの色彩はグレイ色に限定されない。色相の変化を楽しみたいのであれば、趣向に応じて例えば赤、青といった色彩のものを選択するのもよい。さらには有色透明フィルムは全体が均一の明度或いは色相でなくともよい。例えば開口部に近づくに従い明度を落とすようなグラデーションを施すことによって、開口部をより際立たせることも可能である。
【００４２】
開口部識別領域はスリットや直線状の境界である必要は必ずしもない。例えば第一の実施例においてスリットが略幅を持たない切れ目であった場合、ポケットの開口部の一部に円弧状の切り欠きを設けることによっても、開口部を示す目印としての役割を果たすことができる。
【００４３】
その他発明の趣旨を逸脱しない範囲で種々の変形が可能である。
【００４４】
【発明の効果】
本発明によれば、表シートに着色が施されているので、開口部近傍において台紙本体が表シートに覆われている部分と表シートに覆われておらず台紙本体が露出する部分とを視覚上明確に識別することができ、使用者はそれらの境界に開口部が存在することを容易に認識することができるので、収容物を出し入れする際の操作性が向上する。
【図面の簡単な説明】
【図１】本発明の第一実施例における正面図である。
【図２】第一実施例における正面図中央横断面図である。
【図３】第一実施例で名刺をポケットに収容しようとしている状態をあらわす、正面図の一部抜粋図である。
【図４】第一実施例で名刺をポケットに完全に収容した状態をあらわす、正面図の一部抜粋図である。
【図５】第一実施例で名刺をポケットに完全に収容した状態をあらわす、正面図中央横断面図の一部抜粋である。
【図６】本発明の第二実施例における正面図である。
【図７】第二実施例における正面図中央横断面図である。
【符号の説明】
１  …台紙本体（裏シート）
２  …フィルム（表シート）
Ｐ  …ポケット
３１、３２、３３、３４、３５、３６…溶着部
Ｓ  …スリット（開口部識別領域）
４  …開口部
Ｃ  …カード
１０…裏シート
２０…表シート
ＳＨ…シート
３１０、３６０…溶着部
４０…開口部
Ｒ１…シートが重なり合った領域
Ｒ２…シートが重なり合っていない領域（開口部識別領域）
【図１】
2004299335.tif 000003
【図２】
2004299335.tif 000004
【図３】
2004299335.tif 000005
【図４】
2004299335.tif 000006
【図５】
2004299335.tif 000007
【図６】
2004299335.tif 000008
【図７】
2004299335.tif 000009